(57)【要約】  本発明は上端と下端によって規定されるクラッチパネルであって、前記上端と下端は側端部で結合されており、前記上端と下端及び側端部は前記パネルのいずれかの側部において上端及び下端のコーナを規定しているクラッチパネルと、脚を巻く一対のストラップ部材であって、各部材が前記パネルのいずれかの側部において上端のコーナから対応する下端のコーナへ延在しているストラップ部材を具え、使用時に、前記ストラップ部材が着用者の各脚、好ましくは着用者のヒップラインの下側を巻き、各臀部の下に延在しており、前記クラッチパネルが前記ガーメントのいずれの部分も着用者の臀部のチーク部分を覆わないように、あるいは着用者の背中を交差して延在しないように位置し、配置されている。
2007510812.tif 000002
【特許請求の範囲】
【請求項１】
ガーメントにおいて、上端と下端によって規定されるクラッチパネルであって、前記上端と下端は側端部で結合されており、前記上端と下端及び側端部は前記パネルのいずれかの側部において上端及び下端のコーナを規定しているクラッチパネルと、
脚を巻く一対のストラップ部材であって、各部材が前記パネルのいずれかの側部において上端のコーナから対応する下端のコーナへ延在しているストラップ部材を具え、使用時に、前記ストラップ部材が着用者の各脚、好ましくは着用者のヒップラインの下側を巻き、各臀部の下に延在しており、前記クラッチパネルが前記ガーメントのいずれの部分も着用者の臀部のチーク部分を覆わないように、あるいは着用者の背中を交差して延在しないように位置し、配置されていることを特徴とするガーメント。
【請求項２】
ガーメントにおいて、上端と下端によって規定されるクラッチパネルであって、前記上端と下端は側端部で結合されており、前記上端と下端及び側端部は前記パネルのいずれかの側部において上端及び下端のコーナを規定しているクラッチパネルと、
脚を巻く一対のストラップ部材であって、各部材が前記パネルのいずれかの側部において上端のコーナから対応する下端のコーナへ延在しているストラップ部材を具え、使用時に、前記ストラップ部材が着用者の各脚、好ましくは着用者のヒップラインの下側を巻き、各臀部の下に延在しており、臀部は支持され持ち上げられており、前記クラッチパネルが前記ガーメントのいずれの部分も着用者の臀部のチーク部分を覆わないように、あるいは着用者の背中を交差して延在しないように位置し、配置されて、外衣に覆われている時に着用者の臀部と背中のなめらかな輪郭を呈するように構成されていることを特徴とするガーメント。
【請求項３】
請求項１又は２に記載のガーメントにおいて、前記クラッチパネル又はガーメント全体が使い捨て可能な素材でできていることを特徴とするガーメント。
【請求項４】
請求項３に記載のガーメントにおいて、前記使い捨て可能な素材が体液を吸収する吸収性素材であることを特徴とするガーメント。
【請求項５】
請求項１又は２に記載のガーメントにおいて、前記脚に巻くストラップ部材が、伸縮性部材であることを特徴とするガーメント。
【請求項６】
請求項１又は２に記載のガーメントにおいて、前記脚に巻くストラップ部材が、典型的にはバックルやベルクロ締結手段などの長さ調節手段を有することを特徴とするガーメント。
【請求項７】
請求項５又は６に記載のガーメントにおいて、前記ストラップ部材が、クラッチパネルから着脱可能であることを特徴とするガーメント。
【請求項８】
請求項１又は２に記載のガーメントにおいて、前記クラッチパネルが該クラッチ内側表面と着用者の股間との接触を避けるために円滑に動くインナー裏地を特徴とするガーメント。
【請求項９】
請求項８に記載のガーメントにおいて、前記ガーメントもしくは少なくともクラッチパネルは例えばライクラやナイロンなどの伸縮可能な素材でできており、前記インナー裏地は、ピュアコットンなどの酵母が増殖しない不活性な素材でできていることを特徴とするガーメント。
【発明の詳細な説明】
【技術分野】
【０００１】
本発明は、ガーメントに関する。このガーメントは、特に、新規なアンダーガーメントや、ウェストバンドを有しないビーチウェア又はスイミングウェアであって衣類の下にブリーフを着用しているのがわからない印象を与えるガーメントに関するものであるが、これに限定されるものではない。
【背景技術】
【０００２】
発明の背景
先行技術のファッショナブルなガーメントは周知である。この分野におけるファッションデザイナの目的は、特に女性のファッション用に、実際に何も着用していないかのように見えるガーメントをデザインすることである。このような先行技術デザインは、ヒップスターブリーフ（hipster brief）、ジーストリングス（g-strings）、ビーチウェア、あるいはスイムウェアとしても使用されているブラジルのソン（Brazilian thong）、その他を含む。これらは、必ず、着用者の臀部のチーク部分間を通る狭い支持部材を有する。これらのブリーフは必ず背面に水平方向のウェストバンドによっても支持されている。このようなデザインは多くの場合、ズボンやジーンズなどの外衣との接触による摩擦の結果として着用者の身体に“ずり上げる”問題が生じる傾向にある。従って、着用者の会陰部にかかる圧力が不快となる。これはオーストラリアの表現で“ウェッジー（wedgie）”として知られている。着用者は、ガーメントを外衣を介して引っ張って継続的にガーメントの位置を調整しなければならず、これはやっかいで見苦しい。
【０００３】
さらに、ガーメントが外衣の脚部分の間をずり上がるので、インナーガーメントのウェストバンドの上端がしばしば人目に露出する。これは着用者が膝を曲げたときに明らかであり、その結果ショーツ、ズボンやスカートなどの外衣の上端を超えて、ガーメントがあらわになる。この問題は、継続的な調整と着用者の不快感を伴わないクラッチパネルを設置又は配置していないデザインが簡素になるにつれて、ひどくなる。さらに、臀部にウェストバンドラインやパンティラインの輪郭がでるので、興味のあるファッションにおいて、臀部のなめらかな側面や輪郭を得ることができない。モデル業では、ガーメントをいっさい着用しないことでこの問題は解決されているが、普段着と健康上の理由からこの方法は現実的ではない。
【０００４】
発明の目的
従って、本発明の目的は、前述した先行技術におけるガーメントの幾つかの不都合な点を軽減すること、又は、有益な選択を提供することである。
【０００５】
発明の説明
従って本発明の一の特徴においては、本発明は上端と下端によって規定されるクラッチパネルであって、前記上端と下端は側端部で結合されており、前記上端と下端及び側端部は前記パネルのいずれかの側部において上端及び下端のコーナを規定しているクラッチパネルと、
脚を巻く一対のストラップ部材であって、各部材が前記パネルのいずれかの側部において上端のコーナから対応する下端のコーナへ延在しているストラップ部材を具え、使用時に、前記ストラップ部材が着用者の各脚、好ましくは着用者のヒップラインの下側を巻き、各臀部の下に延在しており、前記クラッチパネルが前記ガーメントのいずれの部分も着用者の臀部のチーク部分を覆わないように、あるいは着用者の背中を交差して延在しないように位置し、配置されている。
【０００６】
本発明の他の特徴においては、本発明は上端と下端によって規定されるクラッチパネルであって、前記上端と下端は側端部で結合されており、前記上端と下端及び側端部は前記パネルのいずれかの側部において上端及び下端のコーナを規定しているクラッチパネルと、
脚を巻く一対のストラップ部材であって、各部材が前記パネルのいずれかの側部において上端のコーナから対応する下端のコーナへ延在しているストラップ部材を具え、使用時に、前記ストラップ部材が着用者の各脚、好ましくは着用者のヒップラインの下側を巻き、各臀部の下に延在しており、臀部は支持され持ち上げられており、前記クラッチパネルが前記ガーメントのいずれの部分も着用者の臀部のチーク部分を覆わないように、あるいは着用者の背中を交差して延在しないように位置し、配置されて外衣に覆われている時に着用者の臀部と背中のなめらかな輪郭を呈するように構成されている。
【０００７】
好ましくは、クラッチパネル又はガーメント全体は、使い捨て可能な素材で構成することができる。
【０００８】
好ましくは、前記使い捨て可能な素材は、体液を吸収するのに適した吸収性の素材である。
【０００９】
好ましくは、脚に巻くストラップ部材は伸縮性があり、目につきにくい素材からなり、例えば、バックル（buckles）やベルクロ（velcro）手段、鉤ホック（hook and eye）などの長さを調節する手段を具えていてもよい。
【００１０】
代替的に、前記ストラップ部材は、クラッチパネルから着脱可能としてもよい。
【００１１】
好ましくは、前記クラッチパネルは、クラッチパネルの内側表面と着用者の股間との接触を避けるために円滑に動くインナー裏地を有する。
【００１２】
好ましくは、ガーメントもしくは少なくともクラッチパネルは、例えば、ライクラやナイロンなどの伸縮可能な素材である。前記インナー裏地は、ピュアコットンやコットンライクラなどの不活性な、酵母が増殖しない素材である。
【００１３】
変形例
本発明の例を図解して上記に説明したが、当技術分野における当業者に明らかな変更又は変形は、すべてここに記載した本発明の広い範囲と境界内に含まれるものである。
【００１４】
本発明の詳細な説明と特許請求の範囲を通じて、「具える」と「具える」が語形変化したすべての単語は、その他の付加したもの、構成要素、完成品、又は手段を排除することを意図するものではない。
【図面の簡単な説明】
【００１５】
本発明をより理解し実際に実行するために、添付した図面を参照する。図１は、アンダーガメントとしての本発明の好適な実施例を示す。図２と図３は、着用している状態における本発明の正面図、背面図と側面図を示す。
【００１６】
図面の詳細な説明
図１を参照し、本発明に係る好適な実施例のアンダーガーメントを説明する。
【００１７】
アンダーガーメント１０は、実質的に三角形のクラッチパネル１２を具え、このクラッチパネルは各側端のトップコーナ１２ａ、１２ｂから延在し、クラッチパネルのボトムコーナ１２ｃ、１２ｄと合流するストラップ部材１４、１６を有する。
【００１８】
好ましくは、クラッチパネル１２は、ライクラやナイロンでできており、感染により酵母（イースト）が生じる可能性を防ぐピュアコットンのインナー裏地（図示せず）を伴う。好ましくは、クラッチパネル１２の正面に、刺繍１３又は、装飾を施すようにしてもよい。
アンダーガーメントを使用するには、着用者は、着用者の脚に巻くストラップ部材１４と１６に脚を通す。
【００１９】
図２及び図３に示すように、着用者２０が着用するアンダーガーメント１０は、後部ウェストバンドを有しておらず、これはどのような服にも見られない。図３の背面図に示すように、脚を巻く部材が臀部２０ａと２０ｂを持ち上げ、衣服の下のプロファイル又は輪郭をより良いものとする。
【００２０】
図２の側面図に示すように、脚に巻くストラップ１４は、着用者の脚２０ｃのどちらかの脚の上を、クラッチパネルの上端１２ａからクラッチパネルの下端１２ｃまで延在し、前方から後方へ向けて下側に向けて角度をなしている。
【００２１】
図３の背面図に示すように、ストラップ部材は衣服を通して見えない。好ましくは、ストラップ部材１４、１６は弾力性があってより良くフィットし、又は典型的には全てのサイズに適合するワンサイズであることが好ましい。代替として、ストラップ部材はベルクロタブ又は調節可能なバックルなどの調節手段を有することができる。
【図１】
2007510812.tif 000003
【図２】
2007510812.tif 000004
【図３】
2007510812.tif 000005
【国際調査報告】
2007510812.tif 000006
2007510812.tif 000007